(57)【特許請求の範囲】
【請求項１】
矩形状をなす底壁、一対の側壁および天壁を備え、その端壁を内フラップおよび外フラップにより構成した包装箱において、
前記側壁の両端の前記内フラップにかけて横方向に延びる破断手段を設けるとともに、
前記天壁のうち、その対角に位置する２ヵ所の角部を残留部とし、他の部分を分離部とするための分離手段を設けており、
前記分離手段は、前記天壁に連設した外フラップに、前記天壁にかけて縦方向に延びるように設けた第１分離部と、前記側壁に、前記破断手段から前記天壁にかけて縦方向に延びるように設けた第２分離部と、前記天壁に、前記第１および第２分離部の端部間にかけて延びるように設けた第３分離部とからなり、
前記側壁の前記破断手段上に、前記第２分離部と縦方向に連続して破断作業を行う際の把持部となる破断端部を設けていることを特徴とする包装箱。
【請求項２】
前記破断手段は樹脂テープからなり、前記外フラップにおいて、前記樹脂テープと対応する位置に干渉防止用の折曲部を設けたことを特徴とする請求項１に記載の包装箱。
【発明の詳細な説明】
【技術分野】
【０００１】
本発明は、容器に収容されたインスタント食品や缶に収容された飲料などの商品を収容する包装箱に関するものである。
【背景技術】
【０００２】
本発明の包装箱に関連する先行技術文献情報としては次のものがある。
【０００３】
【特許文献１】実開平５−３１２２号公報
【０００４】
この特許文献１の包装箱は、矩形状をなす底壁と、これら底壁の両側縁に連設した側壁と、これら側壁の上端間に連設した天壁とを備え、該天壁の縁に対応する側壁の縁に貼着する糊代部を連設し、前記側壁の両端縁に内フラップを連設するとともに、前記底壁および天壁の両端縁に外フラップを連設したラップアランド形式のものがある。
【０００５】
この包装箱では、内部に収容した商品を販売する際の販売促進効果を向上するために、一部を破断して分離除去可能とし、その分離部分から内部の商品を確認可能とした状態で、複数個積み重ねることを可能としている。
【０００６】
包装箱の一部を分離する分離手段としては、天壁に連設した外フラップに、該天壁に向けて縦方向に延びる第１分離部と、側壁において、両端が天壁に位置するように略Ｕ字形状に設けた第２分離部と、第１および第２分離部の端部間にかけて延びる第３分離部とからなる。これら分離部は、第１分離部は、ミシン目状に延びる切断線と、該切断線の一端から傾斜して延びるガイド用切断線とからなる。第２および第３分離部は、ミシン目状に延びる切断線のみからなる。
【０００７】
そして、店頭で販売する販売者は、外フラップにおいて、第１分離部間の端縁を把持し、上向きに引き上げることにより第１分離部に沿って外フラップを破断した後、続いて第３分離部に沿って天壁を破断する。ついで、第２分離部に沿って側壁を破断した後、続いて第３および第１分離部に沿って天壁および外フラップを破断する。これにより、包装箱の４隅を残した状態で、その上部を分離除去し、購入者が外部から商品を確認できるように構成している。しかも、４隅を残すことにより、複数の包装箱を積み重ねることも可能になっている。
【０００８】
しかしながら、この包装箱は、両端の外フラップにかけて延びる分離手段において、両側の分離部を一緒に一連の動作で破断する必要があるため、その作業性が悪いという問題がある。特に、第２分離部は、破断方向に縦方向から横方向または逆向きに変換する必要があるため、その作業性は非常に悪いうえ、分離可能な面積も少ない。その結果、積層状態で外部から目視可能な領域が非常に少なく、販売促進効果を必ずしも向上できているとは言えない。しかも、積層した下部の包装箱からは、商品を取り出すことが非常に困難である。
【発明の開示】
【発明が解決しようとする課題】
【０００９】
本発明は、従来の問題に鑑みてなされたもので、分離作業性を向上するとともに、分離面積を広げて、販売促進効果の向上および商品の取出作業性を向上できる包装箱を提供することを課題とするものである。
【課題を解決するための手段】
【００１０】
前記課題を解決するため、本発明の包装箱は、矩形状をなす底壁、一対の側壁および天壁を備え、その端壁を内フラップおよび外フラップにより構成した包装箱において、前記側壁の両端の前記内フラップにかけて横方向に延びる破断手段を設けるとともに、前記天壁のうち、その対角に位置する２ヵ所の角部を残留部とし、他の部分を分離部とするための分離手段を設けており、前記分離手段は、前記天壁に連設した外フラップに、前記天壁にかけて縦方向に延びるように設けた第１分離部と、前記側壁に、前記破断手段から前記天壁にかけて縦方向に延びるように設けた第２分離部と、前記天壁に、前記第１および第２分離部の端部間にかけて延びるように設けた第３分離部とからなり、前記側壁の前記破断手段上に、前記第２分離部と縦方向に連続して破断作業を行う際の把持部となる破断端部を設けた構成としている。
【００１１】
この包装箱では、例えば、破断手段により残留部を除く側壁および内フラップを横方向に破断する。その後、外フラップの縁を把持して第１分離部に沿って外フラップを破断し、第３分離部に沿って天壁を破断した後、第２分離部に沿って側壁を破断する。または、第１分離部に沿って外フラップを破断し、第２分離部に沿って側壁を破断した後、第３分離部に沿って天壁を破断する。
【００１２】
このように、作業者の希望に応じて破断作業を行うことが可能であるため、分離作業性の向上を図ることができ、どのように破断を行っても、天壁の角に位置する残留部を残した分離が可能である。そして、この状態では、従来と同様に、店頭で複数個積み重ねた状態で販売することが可能であり、販売促進効果を向上できるとともに、大きく露出された部分から内部の商品を取り出すこともできる。また、最上段に積み重ねる包装箱は、破断手段により側壁を含む両外フラップ全体にかけて破断することにより、トレイ状に上部全体を分離することもできる。そのため、販売担当者が趣向に応じて販売形態を変更することもできる。
【００１３】
この包装箱では、前記破断手段は樹脂テープからなり、前記外フラップにおいて、前記樹脂テープと対応する位置に干渉防止用の折曲部を設けることが好ましい。このようにすれば、非破断部分が折曲部によって被覆されている。そして、その被覆部分に施された印刷は、分離されることなく残留するため、包装箱に形成する印刷図柄の自由度を向上できるとともに、分離に伴って印刷形態を損なうことを防止できる。
【発明の効果】
【００１４】
本発明の包装箱では、破断手段および分離手段からなる４つの破断部分のうち、作業者が希望に応じた順番で破断作業を行うことが可能であるため、分離作業性を向上できる。また、分離状態では、異なる包装箱を積み重ねることが可能であり、大きく露出された部分により、販売促進効果を向上できるとともに内部の商品を取り出すこともできる。
【発明を実施するための最良の形態】
【００１５】
以下、本発明の実施の形態を図面に従って説明する。
【００１６】
図１から図４は、本発明の実施形態に係る包装箱を示す。この包装箱は、四方を囲繞する壁１０，１１Ａ，１１Ｂ，１２、および、これらの端縁に連設したフラップ１５Ａ，１５Ｂ〜１８Ａ，１８Ｂを備え、所定の容器に収容されたインスタント食品を４行５列の配置で収容するものである。
【００１７】
具体的には、この包装箱は、一対の表紙および裏紙の間に波状の中しんを配設した段ボール紙を、周知の紙器打抜装置によって図４（Ａ）に示す連続した一枚のブランクとして打ち抜き、所定部位を糊付けにより貼着して成形される。
【００１８】
この包装箱のブランクは、図４（Ａ）に示すように、矩形状をなす底壁１０と、該底壁１０の両端縁に連設した側壁１１Ａ，１１Ｂと、一方の側壁１１Ｂに連設した天壁１２と、他方の側壁１１Ａに連設した糊代部１３とを備え、これらの各境界部分には、肉厚を圧縮するように罫を入れて形成した折曲線１４が設けられている。
【００１９】
また、前記側壁１１Ａ，１１Ｂの上下両端縁には、それぞれ一対の内フラップ１５Ａ，１５Ｂ，１６Ａ，１６Ｂが連設されている。さらに、底壁１０および天壁１２の上下両端縁には、それぞれ一対の外フラップ１７Ａ，１７Ｂ，１８Ａ，１８Ｂが連設されている。これらフラップ１５Ａ，１５Ｂ〜１８Ａ，１８Ｂは、組立状態で包装箱の端壁を構成するもので、各壁１０，１１Ａ，１１Ｂ，１２との境界部分には、前記と同様の折曲線１９が設けられている。
【００２０】
そして、本実施形態では、図１に示す組立状態において、前記天壁１２のうち、その対角に位置する２カ所の角部を残留部２０とし、他の部分を分離部２１とするための破断手段と分離手段とが設けられている。
【００２１】
前記破断手段は、側壁１１Ａ，１１Ｂに連設した内フラップ１５Ａ，１５Ｂ，１６Ａ，１６Ｂにかけて延びるＰＰ（ポリプロピレン）製の樹脂テープ２２からなる。この樹脂テープ２２は、組立状態で横方向に延びるように位置するもので、紙器打抜装置による打ち抜き前の段ボールシートの製造時に同時に貼着され、紙器打抜装置によって同時に切断される。側壁１１Ａ，１１Ｂ内の樹脂テープ２２上において、前記残留部２０および分離部２１の境界と対応する位置には、破断端部２３が設けられている。この破断端部２３は、樹脂テープ２２を直交（縦）方向に切断する第１切断部２４と、該第１切断部２４の両端から樹脂テープ２２と平行に双方向に延びる４つの第２切断部２５とからなり、第１切断部２４と、同一方向に延びる一対の第２切断部２５との間は、破断作業を行う際の把持部を構成する。
【００２２】
前記分離手段は、天壁１２に連続した外フラップ１８Ａ，１８Ｂに設けた第１分離部２６と、側壁１１Ａ，１１Ｂに設けた第２分離部２７と、天壁１２および糊代部１３の対応箇所に設けた第３分離部２８Ａ，２８Ｂとからなる。第１分離部２６は、外フラップ１８Ａ，１８Ｂの端縁から天壁１２にかけて縦方向に延びるもので、所定間隔をもってミシン目状に延びる切断線と、各切断線の端部から傾斜するように設けたガイド用切断線とからなる片ジッパー構造のものである。第２分離部２７は、前記樹脂テープ２２上である破断端部２３から天壁１２にかけて縦方向に延びるもので、第１分離部２６と同様の片ジッパー構造のものである。第３分離部２８Ａ，２８Ｂは、第１分離部２６および第２分離部２７の端部間にかけて傾斜して延びるもので、前記と同様の片ジッパー構造のものである。なお、これら分離部２６，２７，２８Ａ，２８Ｂは、これらにより形成される残留部２０が、内部に収容される商品の略１個分のみを覆い隠す非常に小さい領域となるように設定されている。
【００２３】
ここで、樹脂テープ２２により横方向に破断可能としたラップアランド形式の包装箱では、外フラップ１７Ａ，１７Ｂ，１８Ａ，１８Ｂの両側先端縁は、樹脂テープ２２による破断作業の妨げにならないように、切欠部を設ける構成が一般的である。しかしながら、本実施形態では、その外フラップ１７Ａ，１７Ｂ，１８Ａ，１８Ｂの両側先端縁には切欠部を設けることなく、図４（Ｂ）に示すように、円弧状の切断部２９と、横方向に延びる折曲線３０とを設け、これらにより囲繞される内部に干渉防止用の折曲部３１を形成している。なお、折曲線３０は、前記と同様に肉厚を圧縮するように罫を入れて形成した折曲線と、該折曲線に沿って所定間隔をもってミシン目状に設けた切断線とからなるリード罫により構成している。
【００２４】
前記構成の包装箱は、例えば、前記ブランクの状態で所定の製造メーカに出荷され、自動組立包装装置により封緘される。具体的には、ブランク状態の底壁１０に所定の配列で食品が載置される。その後、前記底壁１０を中心として各側壁１１Ａ，１１Ｂおよび天壁１２と糊代部１３が折り曲げられ、糊代部１３が側壁１１Ａの内側端縁に熱溶融樹脂からなる接着剤（ホットメルト）で貼着される。ついで、各内フラップ１５Ａ，１５Ｂ，１６Ａ，１６Ｂが折り曲げられた後、各外フラップ１７Ａ，１７Ｂ，１８Ａ，１８Ｂが折り曲げられ、これらの重畳部分がホットメルトで貼着され、図１に示す封緘状態の包装箱が形成される。
【００２５】
例えば、この包装箱に収容された容器を店頭に陳列して販売する場合、まず、作業者は、図２に示すように、側壁１１Ａ，１１Ｂの破断端部２３において、分離部２１の側に位置する把持部を把持し、横方向に引っ張る。これにより、図示のように、側壁１１Ａ，１１Ｂが樹脂テープ２２で切り裂くようにして破断される。
【００２６】
前記樹脂テープ２２による破断は、連続した内フラップ１５Ａ，１６Ｂの先端縁まで完全に引き裂くことにより終了する。ここで、この内フラップ１５Ａ，１６Ｂの外側には、重畳された外フラップ１７Ａ，１７Ｂ，１８Ａ，１８Ｂが存在する。そのため、これらは内フラップ１５Ａ，１６Ｂの破断の妨げになるが、本実施形態では、これら外フラップ１７Ａ，１７Ｂ，１８Ａ，１８Ｂに折曲部３１を設けているため、破断による内側からの押圧で、前記折曲部３１が外向きに折れ曲がり、破断作業の妨げになることを防止できる。
【００２７】
ついで、天壁１２に連続した外フラップ１８Ａ，１８Ｂの先端縁を把持し、第１分離部２６に沿って外フラップ１８Ａ，１８Ｂを破断する。そして、第１分離部２６に続いて第３分離部２８Ａ，２８Ｂに沿って天壁１２を破断した後、第３分離部２８Ａ，２８Ｂに続いて第２分離部２７に沿って側壁１１Ａ，１１Ｂを破断する。
【００２８】
または、樹脂テープ２２による破断で開口した側壁１１Ａ，１１Ｂの破断縁を把持し、前記とは逆に第２分離部２７、第３分離部２８Ａ，２８Ｂ、および、第１分離部２６の順番で、側壁１１Ａ，１１Ｂ、天壁１２、外フラップ１８Ａ，１８Ｂを破断する。
【００２９】
または、第１分離部２６および第３分離部２８Ａ，２８Ｂの一方に沿って外フラップ１８Ａ，１８Ｂおよび側壁１１Ａ，１１Ｂの一方を破断した後、第１分離部２６および第３分離部２８Ａ，２８Ｂの他方に沿って外フラップ１８Ａ，１８Ｂおよび側壁１１Ａ，１１Ｂの他方を破断する。そして、最後に、第２分離部２７に沿って天壁１２を破断する。
【００３０】
なお、これらの破断作業は、各一対の側壁１１Ａ，１１Ｂ、外フラップ１８Ａ，１８Ｂおよび天壁１２の対角位置を、一連の動作で破断するのではなく、片方ずつ行う。
【００３１】
これにより、図３に示すように、包装箱は、その上半分の領域において、側壁１１Ａ，１１Ｂの一部、天壁１２の一部および外フラップ１８Ａ，１８Ｂの一部のみからなる残留部２０を残し、側壁１１Ａ，１１Ｂの一部、天壁１２の大半部分、外フラップ１８Ａ，１８Ｂの大半部分からなる分離部２１を取り除いた展示状態になる。
【００３２】
このように、本発明の包装箱では、作業者の希望に応じた手順で破断作業を行うことが可能である。具体的には、樹脂テープ２２および分離部２６，２７，２８Ａ，２８Ｂからなる４つの破断部分のうち、作業者が希望に応じた順番で破断作業を行うことが可能である。そのため、分離作業性の向上を図ることができ、どのように破断を行っても、天壁１２の角に位置する残留部２０を残した分離が可能である。
【００３３】
そして、この状態では、従来と同様に、店頭で複数個積み重ねた状態で販売することが可能である。この積み重ね状態では、残留部２０が対角に位置する２つのみであるが、下側の包装箱には、商品が複数存在するため、確実に載置状態を維持できる。そして、この状態では、小さい領域の残留部２０を残し、上半分の大半部分からなる分離部２１を除去した状態であるため、内部に収容した商品を外部から確認し易く、販売促進効果を向上できる。しかも、除去領域が広いため、下層の包装箱に収容した商品であっても、その大きく露出された部分から内部の商品を取り出すこともできる。
【００３４】
また、最上段に積み重ねる包装箱は、樹脂テープ２２により残留部２０を構成する側壁１１Ａ，１１Ｂおよび外フラップ１８Ａ，１８Ｂを破断して、上部全体を分離したトレイ状とすることもできる。そのため、販売担当者が趣向に応じて販売形態を変更することもできる。
【００３５】
しかも、本実施形態では、外フラップ１８Ａ，１８Ｂにおいて、樹脂テープ２２と対応する位置を干渉防止用の折曲部３１とし、残留部２０では、非破断部分が折曲部３１によって被覆されている。そして、この被覆部分は分離されることなく残留するため、包装箱の表面に施した印刷図柄が分離に伴って損なわれることはない。そのため、包装箱に施す印刷図柄の自由度を向上できる。
【００３６】
なお、本発明の包装箱は、前記実施形態の構成に限定されるものではなく、種々の変更が可能である。
【００３７】
例えば、前記実施形態では、側壁１１Ａ，１１Ｂを横方向に破断する破断手段として樹脂テープ２２を適用したが、一対の片ジッパーを対称に設けた構造をなすジッパーにより構成してもよい。このように、前記分離部２６，２７，２８Ａ，２８Ｂからなる分離手段を含む破断手段の構成は希望に応じて変更が可能である。
【００３９】
そして、前記実施形態では、包装箱を平面視および側面視四角形状に形成したが、例えば、隣接する底壁１０、側壁１１Ａ，１１Ｂ、天壁１２、フラップ１５Ａ，１５Ｂ〜１８Ａ，１８Ｂからなる端壁の所定の稜部に面取壁を設けた多角形状のものでもよい。さらに、収容する商品はインスタント食品に限られず、飲料であっても同様の作用および効果を得ることができる。
【図面の簡単な説明】
【００４０】
【図１】本発明の実施形態に係る包装箱を示す斜視図である。
【図２】分離作業の一工程を示す斜視図である。
【図３】分離作業後の包装箱を積み重ねた状態を示す斜視図である。
【図４】（Ａ）は包装箱のブランクを示す背面図、（Ｂ）は（Ａ）の要部拡大背面図である。
【符号の説明】
【００４１】
１０…底壁
１１Ａ，１１Ｂ…側壁
１２…天壁
１５Ａ，１５Ｂ，１６Ａ，１６Ｂ…内フラップ
１７Ａ，１７Ｂ，１８Ａ，１８Ｂ…外フラップ
２０…残留部
２１…分離部
２２…樹脂テープ（破断手段）
２３…破断端部
２６…第１分離部（分離手段）
２７…第２分離部（分離手段）
２８Ａ，２８Ｂ…第３分離部（分離手段）
３１…折曲部
【図１】
0004745037.tif 000002
【図２】
0004745037.tif 000003
【図３】
0004745037.tif 000004
【図４】
0004745037.tif 000005